(57)【要約】【課題】セキュリティが強化され、複製抑止力を備えながら、他の照合認証技術と較べて簡便かつ安価な解決策を提供する身分証明用文書（１０）を提供する。【解決手段】一実施態様において、文書上の特定データまたは情報に基づく多層多軸回折光学変化画像素子（ＤＯＶＩＤ）を文書が備える。この結果、本ＤＯＶＩＤは、文書（１０）特有のデータかまたは情報と直接関連する。本ＤＯＶＩＤのセキュリティ機能は、人間の眼によって確認可能であり、信憑性を確認するのに高度な技術を必要としない。さらに、本セキュリティ機能は、改竄の検出性が強化されている。【選択図】図１
2008501553.tif 000002
【特許請求の範囲】
【請求項１】
対象所有者に関する情報がその上に提供される文書表面と、前記文書表面上の回折光学変化画像素子とを備える身分証明用文書であって、前記画像素子は、前記文書表面上の前記情報の少なくとも一部に基づくことを特徴とする身分証明用文書。
【請求項２】
前記画像素子が前記情報の少なくとも一部に重ね合わせられている、請求項１に記載の身分証明用文書。
【請求項３】
前記情報が画像を備え、前記回折光学変化画像素子が前記画像の少なくとも一部に重ね合わせられている、請求項１に記載の身分証明用文書。
【請求項４】
前記文書表面がカードの表面を含む、請求項１に記載の身分証明用文書。
【請求項５】
前記画像素子が複数の回折軸を有する多層画像素子である、請求項１に記載の身分証明用文書。
【請求項６】
前記回折光学変化画像素子の各層が他のどの層の回折軸とも異なる回折軸を有する、請求項５に記載の身分証明用文書。
【請求項７】
前記回折光学変化画像素子の各層が画素セグメンテーション処理の結果として生じる、請求項５に記載の身分証明用文書。
【請求項８】
前記回折光学変化画像素子がそれが基づく前記情報の一部と位置合わせして配置される、請求項３に記載の身分証明用文書。
【請求項９】
前記画像素子が前記文書表面上に印刷された材料を含む、請求項１に記載の身分証明用文書。
【請求項１０】
前記層が最上層を含み、前記最上層がマイクロプリントにより構成される、請求項５に記載の身分証明用文書。
【請求項１１】
前記文書表面上であって前記画像素子上にさらに上塗り層を備える、請求項１に記載の身分証明用文書。
【請求項１２】
前記回折光学変化画像素子がそれが基づく前記情報からずれた位置にある、請求項１に記載の身分証明用文書。
【請求項１３】
対象所有者に関する情報がその上に提供される文書表面と、前記文書表面上に多層回折光学変化画像素子とを備える身分証明用文書であって、前記回折光学変化画像素子は、複数の回折軸を有し、前記文書表面上に形成されることを特徴とする身分証明用文書。
【請求項１４】
前記情報が画像または文字の少なくとも一つを備え、前記画像素子が前記画像または前記文字の少なくとも一部に重ね合わされている、請求項１３に記載の身分証明用文書。
【請求項１５】
前記文書表面が画像を備え、前記回折光学変化画像素子が前記画像の少なくとも一部に重ね合わせられている、請求項１３に記載の身分証明用文書。
【請求項１６】
前記文書表面がカードの表面を含む、請求項１３に記載の身分証明用文書。
【請求項１７】
前記回折光学変化画像素子の各層が他のどの層の回折軸とも異なる回折軸を有する、請求項１３に記載の身分証明用文書。
【請求項１８】
前記回折光学変化画像素子の各層が画素セグメンテーション処理の結果として生じる、請求項１３に記載の身分証明用文書。
【請求項１９】
前記回折光学変化画像素子が前記文書表面上の前記画像と位置合わせして配置される、請求項１５に記載の身分証明用文書。
【請求項２０】
前記画像素子が前記文書表面上に印刷された材料を含む、請求項１３に記載の身分証明用文書。
【請求項２１】
前記層が最上層を含み、前記最上層がマイクロプリントにより構成される、請求項１３に記載の身分証明用文書。
【請求項２２】
前記文書表面上であって前記画像素子上にさらに上塗り層を備える、請求項１３に記載の身分証明用文書。
【請求項２３】
前記回折光学変化画像素子が前記文書表面上の前記情報の少なくとも一部に基づき、前記回折光学変化画像素子がそれが基づく前記情報からずれた位置にある、請求項１３に記載の身分証明用文書。
【請求項２４】
その上に情報が印刷された文書表面と、前記文書表面上の回折光学変化画像素子とを備える身分証明用文書であって、前記回折光学変化画像素子は、前記情報が前記身分証明用文書上に印刷された後に作成され、前記情報の少なくとも一部に基づくことを特徴とする身分証明用文書。
【請求項２５】
前記情報が画像または文字の少なくとも一つを備え、前記画像素子が前記画像または前記文字の少なくとも一部に重ね合わされている、請求項２４に記載の身分証明用文書。
【請求項２６】
前記文書表面が画像を備え、前記回折光学変化画像素子が前記画像の少なくとも一部に重ね合わせられている、請求項２４に記載の身分証明用文書。
【請求項２７】
前記文書表面がカードの表面を含む、請求項２４に記載の身分証明用文書。
【請求項２８】
前記画像素子が複数の回折軸を有する多層画像素子である、請求項２４に記載の身分証明用文書。
【請求項２９】
前記回折光学変化画像素子の各層が他のどの層の回折軸とも異なる回折軸を有する、請求項２８に記載の身分証明用文書。
【請求項３０】
前記回折光学変化画像素子の各層が画素セグメンテーション処理の結果として生じる、請求項２８に記載の身分証明用文書。
【請求項３１】
前記回折光学変化画像素子が前記文書表面上の前記画像と位置合わせして配置される、請求項２６に記載の身分証明用文書。
【請求項３２】
前記画像素子が前記文書表面上に印刷された材料を含む、請求項２４に記載の身分証明用文書。
【請求項３３】
前記層が最上層を含み、前記最上層がマイクロプリントにより構成される、請求項２８に記載の身分証明用文書。
【請求項３４】
前記文書表面上であって前記画像素子上にさらに上塗り層を備える、請求項２４に記載の身分証明用文書。
【請求項３５】
前記回折光学変化画像素子がそれが基づく前記情報からずれた位置にある、請求項２４に記載の身分証明用文書。
【請求項３６】
対象文書所有者に関する情報を含む情報を備えた文書表面がその上に形成された身分証明用文書を提供する工程と、前記情報の少なくとも一部に少なくとも部分的に基づいて前記文書表面上に回折光学変化画像素子を形成する工程とを備える身分証明用文書の製造方法。
【請求項３７】
前記画像素子が前記文書表面上の前記対象文書所有者に関する前記情報の少なくとも一部に少なくとも部分的に基づく、請求項３６に記載の製造方法。
【請求項３８】
前記画像素子が基づく前記情報を複数の画素セグメントに分割する工程と、各画素セグメントに回折格子層を、他のどの回折格子層の回折軸とも異なる回折軸を有するように形成する工程とを備える、請求項３７に記載の製造方法。
【請求項３９】
分割済みの前記情報上に前記格子層を形成する工程を備える、請求項３８に記載の製造方法。
【請求項４０】
前記文書表面上に前記回折光学変化画像素子を印刷する工程を備える、請求項３６に記載の製造方法。
【請求項４１】
前記文書上で分割される前記情報を印刷する工程を備え、各回折格子層を形成する工程が各回折格子層を印刷する工程を含む、請求項３８に記載の製造方法。
【請求項４２】
各回折格子層が分割済みの前記印刷された情報と位置合わせされるよう各回折格子層を印刷する工程を備える、請求項４１に記載の製造方法。
【請求項４３】
身分証明書を提供する工程がカードを提供する工程を含む、請求項３６に記載の製造方法。
【請求項４４】
各画素セグメントが分割済みの前記情報のある範囲の画素濃度を有する、請求項３８に記載の製造方法。
【請求項４５】
格子層の最上層上にマイクロプリントを施す工程をさらに備える、請求項３８に記載の製造方法。
【請求項４６】
前記回折光学変化画像素子を前記文書表面上の前記回折光学変化画像素子が基づく前記情報からずれた位置に形成する工程を備える、請求項３６に記載の製造方法。
【発明の詳細な説明】
【関連出願の引用】
【０００１】
本出願は、２００４年６月３日に出願された米国特許出願第１０／８６０，１７８号「セキュリティが強化された身分証明用文書」に対する優先権を主張して２００５年６月１日にデータカード・コーポレイション名義でＰＣＴ国際出願として出願するものであり、当該出願の内容は引用することによりここに組み込まれているものとする。
【技術分野】
【０００２】
本発明は、身分証明用文書とその製造および身分証明用文書の製造における回折光学変化画像素子（ＤＯＶＩＤ）技術の使用に関する。
【背景技術】
【０００３】
回折光学変化画像素子（以降ＤＯＶＩＤ）は、光の干渉技術に基づいた回折画像である。ＤＯＶＩＤの一種がホログラムであり、透視次元数が複数保持される。一般的な名称として、「ホログラム」という語は、ＤＯＶＩＤの総称的な用語と通常置き換えられる。ＤＯＶＩＤの別の形式が格子画像であり、唯一つの透視次元数が保持される。
【０００４】
ＤＯＶＩＤはこれまで、機密文書の複製を防止する様々な用途に用いられている。ＤＯＶＩＤは最初、クレジットカードの保護の用途等として使用されていた。その後、数種類の回折画像技術が開発され、偽造文書を製造するのがますます困難となっている。
【０００５】
全てのＤＯＶＩＤは、様々な角度に僅かに傾けると見え方が変化する反射像を示す。この特有の性質により、従来の印刷法およびコンピュータを用いたグラフィックハードウエアおよびソフトウエア処理によってＤＯＶＩＤ画像のコピーや偽造を行うことができない。
【０００６】
クレジットカード等の身分証明用文書のような機密文書の複製を保護するために使用される現在のＤＯＶＩＤ技術は、文書に存在する実際の情報とは関係のない一般的なＤＯＶＩＤに依拠している。また、ＤＯＶＩＤ材料は、当初合法的に入手されていたが、その後違法にまたは問題のある状況の下で販売または流通するようになり、現在使用されているＤＯＶＩＤ材料は、このようなグレーマーケットでますます入手されるようになりつつある。この結果、従来からの一般的なＤＯＶＩＤは、安全とはほど遠くなりつつある。
【０００７】
ＤＯＶＩＤ技術をより有効に利用したパスポート、運転免許証、クレジットカード、身分証明書等の身分証明用文書等を含むセキュリティが強化された文書、およびこのような文書の製造に関連する方法の改善が必要である。
【発明の開示】
【発明が解決しようとする課題】
【０００８】
本発明は、セキュリティが強化され、複製抑止力を備えながら、他の照合認証技術と較べて簡便かつ安価な解決策を提供する改善された身分証明用文書および身分証明用文書の改善された製造方法を提供する。
【課題を解決するための手段】
【０００９】
本発明は、一実施態様において、セキュリティ保護対象の文書上の特定データまたは情報と一体化したＤＯＶＩＤ技術形式のセキュリティ機能を利用する。この結果、このセキュリティ機能は文書特有のデータかまたは情報と直接関連することとなる。このセキュリティ機能は、人間の眼によって確認可能であり、信憑性を確認するのに高度な技術を必要としない。さらに、このセキュリティ機能は、改竄の検出性が強化されている。
【００１０】
本発明の思想は、文書のセキュリティ（例えば、改竄検出、照合、認証等）が懸念され、文書の無許可複製が望ましくない任意の文書に使用可能であろう。本発明の思想により恩恵がもたらされるであろう文書の例としては、身分証明書、運転免許証、クレジットカード等のカード類やパスポートが含まれる。
【００１１】
本発明の一実施態様において、複数の回折軸を有する多層ＤＯＶＩＤにより文書が形成される。ＤＯＶＩＤ層の数は、セキュリティの要求基準に応じて変えることができるが、少なくとも２層ＤＯＶＩＤ層とすることが好ましい。このＤＯＶＩＤは、文書上の画像または文字の上にこのような画像または文字と正確に位置合わせして形成可能である。このＤＯＶＩＤは、その下に形成する画像や文字に特有、およびそれに基づくものである。その結果、このＤＯＶＩＤは、その下に形成される文書に特有であり、ゆえに偽造の可能性が減少し、文書完全性の確認し易さが増すことになる。
【００１２】
本発明の一つの側面において、身分証明用文書は、前記身分証明用文書の対象所有者に関する情報がその上に提供される文書表面を有し、前記文書表面上に回折光学変化画像素子を備え、前記画像素子は、前記文書表面上の前記情報の少なくとも一部に基づく。
【００１３】
本発明の別の側面において、身分証明用文書は、前記身分証明用文書の対象所有者に関する情報がその上に提供される文書表面と、前記文書表面上の多層回折光学変化画像素子とを備え、前記回折光学変化画像素子は、複数の回折軸を有し、前記文書表面上に形成される。
【００１４】
本発明のさらに別の側面において、身分証明用文書は、その上に情報が提供される文書表面と、前記文書表面上の回折光学変化画像素子とを備え、前記回折光学変化画像素子は、前記情報が前記身分証明用文書上に形成された後に作成され、前記情報の少なくとも一部に基づく。
【００１５】
本発明のさらに別の側面において、身分証明用文書の製造方法は、対象文書所有者に関する情報を含む情報を備えた文書表面がその上に形成された身分証明用文書を提供する工程と、前記情報の少なくとも一部に少なくとも部分的に基づいて前記文書表面上に回折光学変化画像素子を形成する工程とを備える。
【００１６】
本発明の思想、そこから得られる利点および目的をより理解するために、以下、本発明の好ましい実施態様を記載する図面および関連する説明を参照する。
【発明を実施するための最良の形態】
【００１７】
本発明の思想を利用可能な身分証明用文書を図１に示す。この文書は、カード１０として図示されており、例えば、身分証明書、運転免許証、クレジットカード等である。以下カードである文書に関連して発明思想を記載するが、文書のセキュリティ（例えば、改竄検出、照合、認証等）が懸念され、文書の無許可複製が望ましくないパスポート等の任意の文書において発明思想が利用可能であることを理解されたい。
【００１８】
カード１０は、カード表面１２を有し、その上にこの身分証明用文書の対象所有者に関する一つ以上の写真画像１４および文字１６等の情報およびロゴ画像１８等の身分証明用文書の対象所有者とは関連しない情報を含む様々な情報が存在する。画像１４は一般的には対象カード所有者の画像であり、文字１６には、カード所有者の名前や住所等の対象カード所有者に関する情報、雇い主等のカード発行者に関する情報、カード番号等が含まれる。ロゴ画像１８は、カード類によく見られるようなロゴ画像であり、例えば企業ロゴ、カードを発行した主体のロゴ等である。カード１０は、一つ以上の画像１４、文字１６およびロゴ画像１８と他のデータとを様々に組み合わせたものを含むことができる。さらにカード１０は、先述のような種類の一つ以上の情報に加えてまたはそれとは別に、カード所有者の一つ以上の指紋やカード所有者を一義的に同定するランダムな情報等の対象カード所有者に関するその他の種類の情報も含むことができる。
【００１９】
画像１４、文字１６およびロゴ画像１８は、染料昇華等の適切なカード印刷技術を用いてカード表面１２上に印刷可能である。画像１４とロゴ画像１８とは、イエロー・マゼンタ・シアン（ＹＭＣ）染料昇華印刷による多色画像であることが多く、一方文字１６は、一般的に染料昇華印刷による黒色である。カード表面上に多色および単色染料昇華印刷を行う設備は、ミネソタ州、ミネトンカのデータカード・コーポレイションより入手可能である。
【００２０】
以下、カード表面１２上にＹＭＣ印刷された画像１４に関連して本発明の思想をさらに説明する。ただし、ここに記載の発明思想は、文字１６およびロゴ画像１８にも同様に適用可能である。
【００２１】
以下により詳細に記載するように、本発明は、画像１４の要求に合わせてそれに特有のＤＯＶＩＤセキュリティ機能を提供する。一実施態様において、このセキュリティ機能は、画像１４上に位置合わせされた状態で形成される。このＤＯＶＩＤセキュリティ機能は、画像１４上に形成された多層多軸回折機能であることが好ましい。ＤＯＶＩＤセキュリティ機能の各層は、画像１４上に印刷された回折格子形状のＤＯＶＩＤ材料の層を備える。この結果、異なる方向から画像１４を見ると、裸眼で見た画像１４の見かけが変化することとなる。
【００２２】
ＤＯＶＩＤセキュリティ機能が形成された画像１４は、通常の白色光で目に見える画像である白色光画像であり、方向が変わっても色は変わらない。
【００２３】
次に図２には、染料昇華印刷された写真画像１４の例が示されている。図２からは色々な色がわからないが、画像１４は、実際にはＹＭＣ多色画像であることを理解されたい。
【００２４】
ＤＯＶＩＤセキュリティ機能を作製するために、図２の画像１４上でセグメンテーション処理が行われ、画像１４は画素濃度に基づいて所定数のセグメントに分割される。各セグメントは、ある範囲の画素濃度をカバーする。例えば、１のセグメントが０〜８４の画素濃度を有し、第２のセグメントが８５から１６９の画素濃度を有し、第３のセグメントが１７０から２５５の画素濃度を有する。セグメンテーションを行うために、画像１４を印刷するのに使用されるデータを処理して、画像１４の様々な画素を表すデータを派生的な画素濃度を基に適当なセグメントに配置して、別々のデータ集合を形成する。累進的なｘ、ｙ座標系において派生画素を個々に調べる一点処理によってセグメンテーションを行っても、または参照表を用いて行ってもよい。
【００２５】
例えば、所望セグメント数が３である場合には、セグメント１のデータ集合は、セグメント１に付与された濃度幅、例えば０〜８４に該当する濃度の画素となるデータを含む。同様に、セグメント２のデータ集合は、セグメント２に付与された濃度幅、例えば８５〜１６９に該当する濃度の画素となるデータを含み、セグメント３のデータ集合は、セグメント３に付与された濃度幅、例えば１７０〜２５５に該当する濃度の画素となるデータを含む。
【００２６】
図３Ａ〜Ｃは、図２の画像上でのセグメンテーション処理例のデータ集合をプリントアウトしたものを示す図である。図３Ａは、セグメント１と称される画素の値がより低い３分の１のデータ集合をプリントアウトしたもの２０を示す。図３Ｂは、セグメント２と称される画素の値が中位の３分の１のデータ集合をプリントアウトしたもの２２を示す。図３Ｃは、セグメント３と称される画素の値がより高い３分の１のデータ集合をプリントアウトしたもの２４を示す。等しいセグメント（１／３、１／３、１／３）となるようなセグメンテーションを説明したが、セグメンテーションを等しくする必要はなく、例えばヒストグラム分析等の技術を用いてもよいことを認識されたい。
【００２７】
セグメンテーションが終了すると、各セグメントに関して回折格子の形状でＤＯＶＩＤ材料層を印刷することによりＤＯＶＩＤセキュリティ機能が作製される。各ＤＯＶＩＤ層の格子は、他のＤＯＶＩＤ層とは異なる角度で配置される。このＤＯＶＩＤ格子層の形成用に適した材料は、米国特許出願公開第１０／６０５，１３９号明細書に開示され、ニュージャージー州西ブランズウィックのアイ・ティー・ダブリュー・ホロパック（ＩＴＷ  Ｈｏｌｏｐａｋ）により製造される。
【００２８】
図６に示すように、ＤＯＶＩＤセキュリティ機能を作成する際、まず工程３０においてカード表面１２上に画像１４を最初に印刷する。次に、工程３２において、画像１４の印刷に使用したデータを処理する。工程３４において、選択された範囲の画像濃度値を有するセグメントを選択し、次に工程３６において、画像データに起因する画素を適当なセグメントに割り当ててデータ集合を作成することにより画像データを分割する。
【００２９】
画像データが区分されたら次に、多層多軸ＤＯＶＩＤを画像上に形成可能である。本発明を説明しやすくするために、図３Ａのプリントアウト２０／セグメント１を用いて第１の角度の回折格子を備えた第１のＤＯＶＩＤ層を作製し、図３Ｂのプリントアウト２２／セグメント２を用いて第２の角度の回折格子を備えた第２のＤＯＶＩＤ層を作製し、図３Ｃのプリントアウト２４／セグメント３を用いて第３の角度の回折格子を備えた第３のＤＯＶＩＤ層を作製するものとする。
【００３０】
第１のＤＯＶＩＤ層を形成するには、セグメント１からのデータをプリンタに送り、画像１４上に画像と位置合わせされた第１の格子角度の回折格子としてＤＯＶＩＤ材料を印刷する。得られる第１のＤＯＶＩＤ層は、図３Ａに示した画像を再現したものとなる。第２のＤＯＶＩＤ層は、セグメント２からのデータをプリンタに送り、第１のＤＯＶＩＤ層上であって画像１４上に画像と位置合わせされた第２の格子角度の回折格子としてＤＯＶＩＤ材料を印刷することにより第１のＤＯＶＩＤ層上に形成する。得られる第２のＤＯＶＩＤ層は、図３Ｂに示した画像を再現したものとなる。第３のＤＯＶＩＤ層は、セグメント３からのデータをプリンタに送り、第２のＤＯＶＩＤ層上であって画像１４上に画像と位置合わせされた第３の格子角度の回折格子としてＤＯＶＩＤ材料を印刷することにより第２のＤＯＶＩＤ層上に形成する。得られる第３のＤＯＶＩＤ層は、図３Ｃに示した画像を再現したものとなる。
【００３１】
この結果、通常の画像１４と、画像１４を再現しそれと位置合わせされているが、ＤＯＶＩＤの特性を備えた同時に作成された３軸ＤＯＶＩＤ画像とをさらに含むカードが得られる。各ＤＯＶＩＤ層は、互いのＤＯＶＩＤ層を無効にしないように他のＤＯＶＩＤ層の格子軸とは異なる軸を有する回折格子により形成される。したがって、図３Ａ〜Ｃに示した画像が画像１４上に形成され、カードの方向を変えるとこれらの画像が見られる。本ＤＯＶＩＤは、従来のように多くのカードに適用される汎用の予め形成された素子ではない。むしろ、本ＤＯＶＩＤは、各カード専用に作成されたものであり、カード上の情報の少なくとも一部に少なくとも部分的に基づくものである。ゆえに本ＤＯＶＩＤは、「カード特有」またはより一般的には「文書特有」と呼ぶことができる。カード表面上の情報に基づくＤＯＶＩＤとは、印刷された情報を用いて形成されたまたは印刷された情報を作製するのに使用されたデータを用いて形成されたことを意味する。
【００３２】
３つのセグメントおよび派生的な３つのＤＯＶＩＤ層を使用することについて説明してきたが、本発明のＤＯＶＩＤセキュリティ技術は、２層以上のＤＯＶＩＤ層を用いて実施することが可能である。さらに、単純なホログラフィー効果が望ましい場合は、画像１４上に単層を形成してもよい。
【００３３】
カード上のＤＯＶＩＤおよび情報を保護するために、ＤＯＶＩＤを形成した後に保護上塗り層をカード表面１２上に塗布してもよい。
【００３４】
多色画像１４のセグメンテーションの例についてここまで説明してきた。ただし、白黒画像によるＤＯＶＩＤセキュリティ機能を作製するために、白黒画像（またはカード上のその他の情報）上でセグメンテーションを使用してもよい。本発明の思想に係るＤＯＶＩＤセキュリティ機能を作製するための白黒画像のセグメンテーションの例を、図４Ａ〜Ｄを参照しながら以下に説明する。説明に際し、分割対象の画像は、多色ＹＭＣ画像ではなく白黒画像であると仮定する。
【００３５】
まず、ラプラシアン、ソーベル、プレウィット等の輪郭抽出アルゴリズムにより元になるラスター画像を処理する。これにより、図４Ａに示すような画像データが作成される。元になるラスター画像をさらに閾値処理し、適当な白黒画像を作成する。全ての白色画素は、１のＤＯＶＩＤ層を作成するのに使用される１のセグメントに割り当てられる。全ての黒色画素は、第２のＤＯＶＩＤ層を作成するのに使用される第２のセグメントに割り当てられる。輪郭抽出処理からの画素情報（図４Ａ）は、第３のＤＯＶＩＤ層を作成するのに使用される第３のセグメントに割り当てられる。ＤＯＶＩＤが知覚情報量を最大限維持できるようにするために、輪郭データ（図４Ａ）を、黒色画像から減算すると、図４Ｂに含まれる画像情報となる。さらに、白色閾値データを含む画像データを反転させてネガ像とする。次に、反転白色画像データから輪郭情報（図４Ａ）を減算すると、図４Ｃに含まれる画像情報が得られる。
【００３６】
本処理をさらに説明するために、黒色画素には１の値が割り当てられ、白色画素には０の値が割り当てられると仮定する。図４Ａの画像が、閾値黒色画像データから減算される場合、図４Ａでも黒色であるこのデータの対応する画素は白色に変わる（即ち、１−１）。画像内の対応する画素が白色である場合には、黒色画素を減算すると、負の値になるであろう（０−１）。正の値の画素のみが印刷され、図示された画像において黒色として表される。
【００３７】
図４Ａ〜Ｃにおいて、ある画素が黒色である場合、文書上では白色光画像の一部か多層ＤＯＶＩＤ層の一部のいずれかとして印刷される。図４ＤにプリンタリボンのＫすなわちブラックパネルにより印刷され、図４Ａ〜Ｃの画像がその上に形成される画像を示す。この画像は、白色光画像の画素を構成し、確立されたディザ法を実践することにより作成される。図４Ａ〜４ＣはそれぞれＤＯＶＩＤの一つの層を形成し、先に述べたように各層は異なる回折格子軸を有する。
【００３８】
ここに記載したＤＯＶＩＤセキュリティ機能は、カード１０のその他の任意の情報上に製造可能である。さらに、ＤＯＶＩＤ層は、情報からずらしてもよく、またはずらした部分と位置合わせした部分とを組み合わせてもよい。図３Ａ〜Ｃに関して先に説明した通りに作成したが、画像１４からずれているＤＯＶＩＤ５０を図５に示す。
【００３９】
ここに記載したＤＯＶＩＤセキュリティ技術のさらなる実施例を図１に示す。文字１６の少なくとも一部に少なくとも部分的に基づくＤＯＶＩＤが、カード１０の表面１２を横切る複数列４０として作製されている。図１に示す実施例において、各列４０は、カードの略全長に延伸しており、各列は、カードの略全縦幅に沿って互いに一定の間隔を置いて配置されているが、その他の構成も可能である。ＤＯＶＩＤが基づく文字は例えば、カード所有者の名前である。一つのバージョンにおいて、カード所有者の名前全体をＤＯＶＩＤとして再現してもよく、各列４０において名前を繰り返し、カードの背景を形成する。
【００４０】
別の実施例において、ロゴ画像１８の少なくとも一部に少なくとも部分的に基づくＤＯＶＩＤが、カード１０の表面１２を横切る複数列４２として作製されている。図１に示す実施例において、各列４２は、カードの略全長に延伸しており、各列は、カードの略全縦幅に沿って互いに一定の間隔を置いて配置されているが、その他の構成も可能である。一つのバージョンにおいて、ロゴ画像全体をＤＯＶＩＤとして再現してもよく、各列４２においてＤＯＶＩＤロゴを繰り返し、カードの背景を形成する。
【００４１】
ここに記載された技術および思想は、ＤＯＶＩＤの最終（すなわち一番上の）層上でマイクロプリントを利用することによりさらに向上させることが可能である。
【００４２】
以上のような明細書、実施例およびデータにより、本発明の技術に関する製造とその使用および本発明の思想が記載される。本発明の趣旨および範囲を逸脱することなく本発明の技術および思想に関する多くの実施態様が可能であり、本発明は添付のクレームをもって示される。
【図面の簡単な説明】
【００４３】
【図１】図１は、本発明に係るＤＯＶＩＤ技術を採用するのに適したカード形式を示す図である。
【図２】図２は、カードに印刷可能な画像の例を示す図である。
【図３Ａ】図３Ａは、図２の画像から作成される画素セグメントの像を示す図である。
【図３Ｂ】図３Ｂは、図２の画像から作成される画素セグメントの像を示す図である。
【図３Ｃ】図３Ｃは、図２の画像から作成される画素セグメントの像を示す図である。
【図４Ａ】図４Ａは、２レベルセグメンテーション処理を表す画像を示す図である。
【図４Ｂ】図４Ｂは、２レベルセグメンテーション処理を表す画像を示す図である。
【図４Ｃ】図４Ｃは、２レベルセグメンテーション処理を表す画像を示す図である。
【図４Ｄ】図４Ｄは、２レベルセグメンテーション処理を表す画像を示す図である。
【図５】図５は、本発明に係るオフセットＤＯＶＩＤを備えたカードを示す図である。
【図６】図６は、安全なカードを作成するための方法の各工程を示すフローチャートである。
【図１】
2008501553.tif 000003
【図２】
2008501553.tif 000004
【図３Ａ】
2008501553.tif 000005
【図３Ｂ】
2008501553.tif 000006
【図３Ｃ】
2008501553.tif 000007
【図４Ａ】
2008501553.tif 000008
【図４Ｂ】
2008501553.tif 000009
【図４Ｃ】
2008501553.tif 000010
【図４Ｄ】
2008501553.tif 000011
【図５】
2008501553.tif 000012
【図６】
2008501553.tif 000013
【国際調査報告】
2008501553.tif 000014
2008501553.tif 000015
2008501553.tif 000016